(57)【特許請求の範囲】
【請求項１】
主幹ブレーカに接続された複数の分岐ブレーカと、複数の電気機器と、の接続関係を特定する接続関係特定システムであって、
前記複数の分岐ブレーカのうちの１つの分岐ブレーカに流れる電流の値を検出する第１電流値検出部と、
各電気機器に流れる電流の値を検出する複数の第２電流値検出部と、
特定の検出期間において前記第１電流値検出部により検出された電流の値と、前記検出期間において各第２電流値検出部により検出された電流の値と、に基づいて、前記１つの分岐ブレーカに接続された電気機器を特定する電気機器特定部と、を備える、
接続関係特定システム。
【請求項２】
前記第１電流値検出部により検出された電流の値に基づいて、前記検出期間において前記１つの分岐ブレーカに流れた電流の波形である第１電流波形を取得する第１波形取得部と、
各第２電流値検出部により検出された電流の値に基づいて、前記検出期間において各電気機器に流れた電流の波形である第２電流波形を取得する複数の第２波形取得部と、
前記複数の電気機器から抽出される電気機器の組合せを選択する組合せ選択部と、
前記複数の第２波形取得部により取得された第２電流波形のうち、前記組合せ選択部により選択された組合せに含まれる電気機器に対応する第２電流波形を合成することにより取得される合成電流波形が、前記第１波形取得部により取得された第１電流波形と一致するか否かを判別する波形判別部と、を更に備え、
前記電気機器特定部は、前記組合せ選択部により選択された組合せのうち、前記波形判別部により前記合成電流波形が前記第１電流波形と一致すると判別された組合せに含まれる電気機器を、前記１つの分岐ブレーカに接続された電気機器として特定する、
請求項１に記載の接続関係特定システム。
【請求項３】
前記組合せ選択部により選択された複数の組合せについて、前記波形判別部により前記合成電流波形が前記第１電流波形と一致すると判別された場合、前記複数の組合せに含まれるいずれかの電気機器の運転状態を変更することを促す情報をユーザに提示する情報提示部、を更に備える、
請求項２に記載の接続関係特定システム。
【請求項４】
前記組合せ選択部により選択された複数の組合せについて、前記波形判別部により前記合成電流波形が前記第１電流波形と一致すると判別された場合、前記複数の組合せに含まれるいずれかの電気機器に、運転状態の変更を指示する制御信号を送信する制御信号送信部、を更に備える、
請求項２に記載の接続関係特定システム。
【請求項５】
第１通信装置と、複数の第２通信装置と、を更に備え、
前記第１通信装置は、
前記第１電流値検出部と、
前記１つの分岐ブレーカに接続された電力線間の電圧の値を検出する第１電圧値検出部と、
前記第１電圧値検出部により検出された電圧の値が予め定められた値となったタイミングで各第２通信装置にトリガ信号を送信する第１送信部と、
前記第１送信部により前記トリガ信号が送信されたタイミングに基づいて、前記検出期間を特定する第１検出期間特定部と、
前記検出期間において各第２電流値検出部により検出された電流の値を示す情報を受信する第１受信部と、
前記電気機器特定部と、を備え、
各第２通信装置は、
前記複数の第２電流値検出部のうちの１つの第２電流値検出部と、
前記第１通信装置から前記トリガ信号を受信する第２受信部と、
前記第２受信部により前記トリガ信号が受信されたタイミングに基づいて、前記検出期間を特定する第２検出期間特定部と、
前記第２検出期間特定部により特定された前記検出期間において前記１つの第２電流値検出部により検出された電流の値を示す情報を前記第１通信装置に送信する第２送信部と、を備える、
請求項１から４のいずれか１項に記載の接続関係特定システム。
【請求項６】
前記予め定められた値は、前記電力線間に印加される交流電圧の極大値又は極小値であり、
前記第１通信装置は、
前記第１送信部により前記トリガ信号が送信された後、前記第１電圧値検出部により検出された電圧の値が予め定められた回数ゼロクロスしたタイミングを検出する第１タイミング検出部、を更に備え、
前記第１検出期間特定部は、前記第１タイミング検出部により検出されたタイミングを、前記検出期間の先頭時刻として特定し、
各第２通信装置は、
前記複数の第２通信装置のうちの１つの第２通信装置に接続された電力線間の電圧の値を検出する第２電圧値検出部と、
前記第２受信部により前記トリガ信号が受信された後、前記第２電圧値検出部により検出された電圧の値が前記予め定められた回数ゼロクロスしたタイミングを検出する第２タイミング検出部と、を更に備え、
前記第２検出期間特定部は、前記第２タイミング検出部により検出されたタイミングを、前記検出期間の先頭時刻として特定する、
請求項５に記載の接続関係特定システム。
【請求項７】
前記複数の電気機器から抽出される電気機器の組合せを選択する組合せ選択部、を更に備え、
前記電気機器特定部は、前記検出期間において前記組合せ選択部により選択された組合せに含まれる電気機器により消費された合計電力量が、前記検出期間において前記１つの分岐ブレーカを介して消費された電力量と一致する場合、前記選択された組合せに含まれる電気機器を前記１つの分岐ブレーカに接続された電気機器として特定する、
請求項１に記載の接続関係特定システム。
【請求項８】
主幹ブレーカに接続された複数の分岐ブレーカと、複数の電気機器と、の接続関係を特定する接続関係特定方法であって、
第１電流値検出部が、前記複数の分岐ブレーカのうちの１つの分岐ブレーカに流れる電流の値を検出する第１電流値検出ステップと、
複数の第２電流値検出部が、各電気機器に流れる電流の値を検出する第２電流値検出ステップと、
電気機器特定部が、特定の検出期間において前記第１電流値検出ステップで検出された電流の値に基づいて取得される、前記検出期間において前記１つの分岐ブレーカに流れた電流の波形である第１電流波形と、前記検出期間において前記第２電流値検出ステップで検出された電流の値に基づいて取得される、前記検出期間において各電気機器に流れた電流の波形である第２電流波形と、に基づいて、前記１つの分岐ブレーカに接続された電気機器を特定する電気機器特定ステップと、を備える、
接続関係特定方法。
【発明の詳細な説明】
【技術分野】
【０００１】
本発明は、分岐ブレーカと電気機器との接続関係を特定する接続関係特定システム、及び、接続関係特定方法に関する。
【背景技術】
【０００２】
工場やビルなどで使用される電気機器は、基本的に、主幹ブレーカに接続された複数の分岐ブレーカのうちのいずれか１つの分岐ブレーカに接続され、この１つの分岐ブレーカを介して供給された電力で動作する。ここで、電気機器のメンテナンスなどのために、分岐ブレーカと電気機器との接続関係を特定したいことがある。現在、分岐ブレーカと電気機器との接続関係を特定する技術が知られている。
【０００３】
例えば、特許文献１には、電気機器側の配線に５ｋＨｚの電流信号を流す送信器と、分岐ブレーカ側の配線からこの電流信号により発生する磁束を検出する受信器と、を備える配線路探索器が開示されている。特許文献１に開示された配線路探索器は、分岐ブレーカ側の配線から磁束が検出された場合に、電気機器側の配線と分岐ブレーカ側の配線とが接続されていると判別する。
【先行技術文献】
【特許文献】
【０００４】
【特許文献１】実開平３−６５９８６号公報
【発明の概要】
【発明が解決しようとする課題】
【０００５】
しかしながら、特許文献１に開示された技術では、配線の敷設状況によっては、送信器により配線に流された電流信号が、隣接する配線に漏洩することがあった。この場合、この隣接する配線からも磁束が検出され、正確に接続関係を特定することができないことがあった。このため、分岐ブレーカと電気機器との接続関係を高い精度で特定することが可能な技術が望まれている。
【０００６】
本発明は、上記問題に鑑みてなされたものであり、分岐ブレーカと電気機器との接続関係を高い精度で特定することが可能な接続関係特定システム、及び、接続関係特定方法を提供することを目的とする。
【課題を解決するための手段】
【０００７】
上記目的を達成するために、本発明に係る接続関係特定システムは、
主幹ブレーカに接続された複数の分岐ブレーカと、複数の電気機器と、の接続関係を特定する接続関係特定システムであって、
前記複数の分岐ブレーカのうちの１つの分岐ブレーカに流れる電流の値を検出する第１電流値検出部と、
各電気機器に流れる電流の値を検出する複数の第２電流値検出部と、
特定の検出期間において前記第１電流値検出部により検出された電流の値と、前記検出期間において各第２電流値検出部により検出された電流の値と、に基づいて、前記１つの分岐ブレーカに接続された電気機器を特定する電気機器特定部と、を備える。
【発明の効果】
【０００８】
本発明では、特定の検出期間において第１電流値検出部により検出された電流の値と、上記検出期間において各第２電流値検出部により検出された電流の値と、に基づいて、複数の電気機器のうち１つの分岐ブレーカに接続された電気機器が特定される。従って、本発明によれば、分岐ブレーカと電気機器との接続関係を高い精度で特定することができる。
【図面の簡単な説明】
【０００９】
【図１】本発明の実施形態１に係る接続関係特定システムの構成図である。
【図２】本発明の実施形態１に係る第１通信装置の構成図である。
【図３】本発明の実施形態１に係る第２通信装置の構成図である。
【図４】本発明の実施形態１に係る第１通信装置及び第２通信装置の機能を説明するための図である。
【図５Ａ】電力線Ｌ１−電力線Ｎ１間に印加される電圧の波形を示す図である。
【図５Ｂ】分岐ブレーカ４１０に流れる電流の波形を示す図である。
【図６Ａ】電気機器３１０に流れる電流の波形を示す図である。
【図６Ｂ】電気機器３２０に流れる電流の波形を示す図である。
【図７Ａ】電気機器３１０と電気機器３３０とで第２電流波形が同一であるときの判別結果を示す図である。
【図７Ｂ】全ての電気機器における第２電流波形が同一であるときの判別結果を示す図である。
【図８Ａ】電気機器３３０の運転状態の変更後に、全ての電気機器における第２電流波形が非同一となったときの判別結果を示す図である。
【図８Ｂ】電気機器３３０の運転状態の変更後に、電気機器３２０と電気機器３３０とで第２電流波形が同一となったときの判別結果を示す図である。
【図９】本発明の実施形態１に係る第１通信装置が実行する接続関係特定処理を示すフローチャートである。
【図１０】本発明の実施形態１に係る第２通信装置が実行する第２電流波形取得処理を示すフローチャートである。
【図１１】本発明の実施形態２に係る第１通信装置及び第２通信装置の機能を説明するための図である。
【図１２】本発明の実施形態３に係る第１通信装置及び第２通信装置の機能を説明するための図である。
【発明を実施するための形態】
【００１０】
（実施形態１）
以下、本発明の実施形態１を、図面を参照して説明する。まず、図１を参照して、本発明の実施形態１に係る接続関係特定システム１０００について説明する。接続関係特定システム１０００は、例えば、電気機器のメンテナンスなどのために、分岐ブレーカと電気機器との接続関係を特定するためのシステムである。つまり、ユーザは、接続関係特定システム１０００を用いて、どの電気機器がどの分岐ブレーカに接続されているのかを確認することができる。接続関係特定システム１０００は、例えば、電気機器が設置された位置が、分岐ブレーカが設置された位置とは離れており、電気機器と分岐ブレーカとの接続関係を適切に示す電源系統図は存在しない場合に使用される。
【００１１】
図１に示すように、接続関係特定システム１０００は、第１通信装置１００と、第２通信装置２１０と、第２通信装置２２０と、第２通信装置２３０と、を備える。第１通信装置１００は、分岐ブレーカ４１０に流れる電流の値を検出するために、分岐ブレーカ４１０の近傍に配置される。第２通信装置２１０は、電気機器３１０に流れる電流の値を検出するために、電気機器３１０の近傍に配置される。第２通信装置２２０は、電気機器３２０に流れる電流の値を検出するために、電気機器３２０の近傍に配置される。第２通信装置２３０は、電気機器３３０に流れる電流の値を検出するために、電気機器３３０の近傍に配置される。
【００１２】
電気機器３１０は、供給された交流電力を、電気機器３１０の機能や運転状態に応じた電流パターンで消費する機器である。電気機器３２０は、供給された交流電力を、電気機器３２０の機能や運転状態に応じた電流パターンで消費する機器である。電気機器３３０は、供給された交流電力を、電気機器３３０の機能や運転状態に応じた電流パターンで消費する機器である。本実施形態では、電気機器３１０と電気機器３２０と電気機器３３０とはいずれも同じ機能を有するものとする。例えば、電気機器３１０と電気機器３２０と電気機器３３０とはいずれも空調機能を有するものとする。一方、本実施形態では、電気機器３１０の運転状態は、電気機器３２０の運転状態とは異なり、電気機器３３０の運転状態とは同じであるものとする。例えば、電気機器３１０と電気機器３３０とはいずれも冷房運転中であり、電気機器３２０は送風運転中であるものとする。この場合、電気機器３１０の電流消費パターンは、電気機器３２０の電流消費パターンとは異なり、電気機器３３０の電流消費パターンとは同じとなる。
【００１３】
電気機器３１０と電気機器３２０と電気機器３３０とは、主幹ブレーカ４００と分岐ブレーカ４１０と分岐ブレーカ４２０と分岐ブレーカ４３０とを収容する分電盤５００を介して、商用電源６００から交流電力の供給を受ける。商用電源６００により供給される交流電力は、実効値が１００Ｖであり、周波数が５０Ｈｚであるものとする。主幹ブレーカ４００は、商用電源６００から交流電力の供給を受ける。分岐ブレーカ４１０と分岐ブレーカ４２０と分岐ブレーカ４３０とは、電力線Ｌ０と電力線Ｎ０とにより主幹ブレーカ４００に接続され、主幹ブレーカ４００から交流電力の供給を受ける。
【００１４】
本実施形態では、電気機器３１０と電気機器３２０とは、電力線Ｌ１と電力線Ｎ１とにより分岐ブレーカ４１０に接続され、分岐ブレーカ４１０から交流電力の供給を受けるものとする。また、本実施形態では、電気機器３３０は、電力線Ｌ３と電力線Ｎ３とにより分岐ブレーカ４３０に接続され、分岐ブレーカ４３０から交流電力の供給を受けるものとする。そして、本実施形態では、分岐ブレーカ４２０に接続された電力線Ｌ２と電力線Ｎ２とには、電気機器は接続されないものとする。以下、本実施形態では、接続関係特定システム１０００が、分岐ブレーカ４１０に接続された電気機器が、電気機器３１０と電気機器３２０と電気機器３３０とのうちのいずれであるのかを特定する例について説明する。なお、分岐ブレーカ４２０や分岐ブレーカ４３０に接続された電気機器を特定する処理は、処理の対象となる構成要素は異なるものの、基本的には、分岐ブレーカ４１０に接続された電気機器を特定する処理と同様である。
【００１５】
第１通信装置１００は、ＰＬＣ（Power Line Communications）機能を有する通信装置である。本実施形態では、分岐ブレーカ４１０と分岐ブレーカ４２０と分岐ブレーカ４３０とがＯＮ状態であり、電力線Ｌ０と電力線Ｌ１と電力線Ｌ２と電力線Ｌ３とは相互に接続され、電力線Ｎ０と電力線Ｎ１と電力線Ｎ２と電力線Ｎ３とは相互に接続されているものとする。従って、第１通信装置１００は、これらの電力線を介して、第２通信装置２１０と第２通信装置２２０と第２通信装置２３０とのそれぞれと通信することができる。
【００１６】
また、第１通信装置１００は、電力線Ｌ１と電力線Ｎ１とに接続された電気機器を特定する機能を有する。この機能を実現するため、第１通信装置１００は、第１電流波形と、３つの第２電流波形と、を取得する。第１電流波形は、分岐ブレーカ４１０に流れる電流の値の時系列データにより構成される。第２電流波形の１つは、電気機器３１０に流れる電流の値の時系列データにより構成される。第２電流波形のもう１つは、電気機器３２０に流れる電流の値の時系列データにより構成される。第２電流波形の残りの１つは、電気機器３３０に流れる電流の値の時系列データにより構成される。
【００１７】
第１通信装置１００は、電力線Ｌ１（又は、電力線Ｎ１）に流れる電流の値をサンプリングすることにより、第１電流波形を取得する。一方、第１通信装置１００は、電気機器３１０に流れる電流の値の時系列データにより構成される第２電流波形を、第２通信装置２１０から取得する。また、第１通信装置１００は、電気機器３２０に流れる電流の値の時系列データにより構成される第２電流波形を、第２通信装置２２０から取得する。そして、第１通信装置１００は、電気機器３３０に流れる電流の値の時系列データにより構成される第２電流波形を、第２通信装置２３０から取得する。図２に示すように、第１通信装置１００は、制御部１１と、計測部１２と、通信部１３と、電源部１４と、表示部１５と、操作部１６と、計時部１７と、第２通信部１８と、を備える。
【００１８】
制御部１１は、第１通信装置１００全体の動作を制御する。例えば、制御部１１は、計測部１２を制御して、電力線Ｌ１に流れる電流の値と、電力線Ｌ１と電力線Ｎ１との間の電圧の値と、を取得する。また、制御部１１は、通信部１３を制御して、第２通信装置２１０と第２通信装置２２０と第２通信装置２３０とのそれぞれと通信する。また、制御部１１は、第１通信装置１００の自立運転が可能となるように電源部１４を制御する。また、制御部１１は、表示部１５を制御して、分岐ブレーカと電気機器との接続関係の特定結果などをユーザに提示する。また、制御部１１は、第２通信部１８を介して、電気機器３１０と電気機器３２０と電気機器３３０とのそれぞれの運転状態を制御する。制御部１１は、例えば、ＣＰＵ（Central Processing Unit）と、ＲＯＭ（Read Only Memory）と、ＲＡＭ（Random Access Memory）と、を備える。
【００１９】
計測部１２は、電力線Ｌ１に流れる電流の値を計測する機能と、電力線Ｌ１と電力線Ｎ１との間の電圧の値を計測する機能と、を有する。計測部１２は、予め定められたサンプリング周期で、電力線Ｌ１に流れる電流の値を電流センサ１５０から取得する。また、計測部１２は、予め定められたサンプリング周期で、電力線Ｌ１と電力線Ｎ１との間の電圧の値を取得する。これらのサンプリング周期は、商用電源６００の周期（例えば、２０ｍｓ）よりも十分に短いものとする。計測部１２は、サンプリングにより取得された電流の値を時系列で示す情報（以下、適宜「電流情報」という。）とサンプリングにより取得された電圧の値を時系列で示す情報（以下、適宜「電圧情報」という。）とを、図示しないバッファメモリに記憶する。計測部１２は、制御部１１による制御に従って、バッファメモリに記憶された電流情報や電圧情報を、制御部１１に供給する。計測部１２は、例えば、電力計を備える。
【００２０】
通信部１３は、制御部１１による制御に従って、ＰＬＣを実行する。例えば、通信部１３は、電力線Ｌ１と電力線Ｎ１とを介して、第２通信装置２１０と第２通信装置２２０と第２通信装置２３０とのそれぞれにトリガ信号を送信する。また、通信部１３は、電力線Ｌ１と電力線Ｎ１とを介して、第２通信装置２１０と第２通信装置２２０と第２通信装置２３０とのそれぞれから第２電流波形を受信する。通信部１３は、受信した第２電流波形を制御部１１に供給する。通信部１３は、例えば、ＰＬＣインターフェースを備える。
【００２１】
電源部１４は、電力線Ｌ１と電力線Ｎ１とを介して、第１通信装置１００が消費する電力を取得する。電源部１４は、電力線Ｌ１と電力線Ｎ１とを介して供給された交流電力を直流電力に変換して、第１通信装置１００が備える各構成に供給する。電源部１４は、接続関係特定処理の実行中に、第１通信装置１００の自立運転が可能になるように、制御部１１により制御される。つまり、電源部１４は、接続関係特定処理が実行されていない間、電力線Ｌ１と電力線Ｎ１を介して電力の供給を受け、供給された電力を、第１通信装置１００が備える各構成に供給するとともに蓄積する。一方、電源部１４は、接続関係特定処理が実行されている間、電力線Ｌ１と電力線Ｎ１を介した電力の供給を受けず、蓄積した電力を、第１通信装置１００が備える各構成に供給する。
【００２２】
表示部１５は、制御部１１による制御に従って、各種の情報を表示する。例えば、表示部１５は、分岐ブレーカと電気機器との接続関係を示す情報、電気機器の動作状態を変更することを促す情報などを示す画面を表示する。表示部１５は、例えば、液晶ディスプレイ、タッチスクリーン、ＬＥＤ（Light Emitting Diode）などを備える。
【００２３】
操作部１６は、ユーザから、各種の操作を受け付ける。例えば、操作部１６は、ユーザから、接続関係特定処理の開始を指示する操作を受け付ける。操作部１６は、受け付けた操作の内容を示す制御信号を制御部１１に送信する。操作部１６は、例えば、ボタン、タッチスクリーンなどを備える。
【００２４】
計時部１７は、ＲＴＣ（Real Time Clock）などの計時用のデバイスである。計時部１７は、例えば、電池を内蔵し、第１通信装置１００の電源がオフの間も計時を継続する。計時部１７は、例えば、水晶発振子を備える発振回路を備える。
【００２５】
第２通信部１８は、制御部１１による制御に従って、電気機器３１０と電気機器３２０と電気機器３３０とのそれぞれと通信する。例えば、第２通信部１８は、制御部１１による制御に従って、電気機器３１０と電気機器３２０と電気機器３３０とのそれぞれの運転状態を制御する。第２通信部１８は、例えば、無線通信が実行可能な無線ＬＡＮ（Local Area Network）インターフェースを備える。
【００２６】
第２通信装置２１０は、ＰＬＣ機能を有する通信装置である。第２通信装置２１０は、は、電力線を介して、第１通信装置１００と第２通信装置２２０と第２通信装置２３０とのそれぞれと通信することができる。第２通信装置２１０は、電気機器３１０に流れる電流の値の時系列データにより構成される第２電流波形を取得する機能を有する。第２通信装置２１０は、電力線Ｌ１（又は、電力線Ｎ１）に流れる電流の値をサンプリングすることにより、第２電流波形を取得する。第２通信装置２１０は、取得した第２電流波形を第１通信装置１００に送信する。第２通信装置２１０は、電気機器３１０に対応して設けられた通信装置である。図３に示すように、第２通信装置２１０は、制御部２１と、計測部２２と、通信部２３と、電源部２４と、表示部２５と、操作部２６と、計時部２７と、を備える。
【００２７】
制御部２１は、第２通信装置２１０全体の動作を制御する。例えば、制御部２１は、計測部２２を制御して、電力線Ｌ１に流れる電流の値と、電力線Ｌ１と電力線Ｎ１との間の電圧の値と、を取得する。また、制御部２１は、通信部２３を制御して、第１通信装置１００と第２通信装置２２０と第２通信装置２３０とのそれぞれと通信する。また、制御部２１は、第２通信装置２１０の自立運転が可能となるように電源部２４を制御する。また、制御部２１は、表示部２５を制御して、各種の情報をユーザに提示する。制御部２１は、例えば、ＣＰＵと、ＲＯＭと、ＲＡＭと、を備える。
【００２８】
計測部２２は、電力線Ｌ１に流れる電流の値を計測する機能と、電力線Ｌ１と電力線Ｎ１との間の電圧の値を計測する機能と、を有する。計測部２２は、予め定められたサンプリング周期で、電力線Ｌ１に流れる電流の値を電流センサ２５１から取得する。また、計測部２２は、予め定められたサンプリング周期で、電力線Ｌ１と電力線Ｎ１との間の電圧の値を取得する。計測部２２は、サンプリングにより取得された電流情報と電圧情報とを、図示しないバッファメモリに記憶する。計測部２２は、制御部２１による制御に従って、バッファメモリに記憶された電流情報や電圧情報を、制御部２１に供給する。計測部２２は、例えば、電力計を備える。
【００２９】
通信部２３は、制御部２１による制御に従って、ＰＬＣを実行する。例えば、通信部２３は、電力線Ｌ１と電力線Ｎ１とを介して、第１通信装置１００からトリガ信号を受信する。通信部２３は、受信したトリガ信号を制御部２１に供給する。また、通信部２３は、制御部２１から第２電流波形を受信する。通信部２３は、電力線Ｌ１と電力線Ｎ１とを介して、第１通信装置１００に第２電流波形を送信する。通信部２３は、例えば、ＰＬＣインターフェースを備える。
【００３０】
電源部２４は、電力線Ｌ１と電力線Ｎ１とを介して、第２通信装置２１０が消費する電力を取得する。電源部２４は、電力線Ｌ１と電力線Ｎ１とを介して供給された交流電力を直流電力に変換して、第２通信装置２１０が備える各構成に供給する。電源部２４は、第２電流波形取得処理の実行中に、第２通信装置２１０の自立運転が可能になるように、制御部２１により制御される。つまり、電源部２４は、第２電流波形取得処理が実行されていない間、電力線Ｌ１と電力線Ｎ１を介して電力の供給を受け、供給された電力を、第２通信装置２１０が備える各構成に供給するとともに蓄積する。一方、電源部２４は、第２電流波形取得処理が実行されている間、電力線Ｌ１と電力線Ｎ１を介した電力の供給を受けず、蓄積した電力を、第２通信装置２１０が備える各構成に供給する。
【００３１】
表示部２５は、制御部２１による制御に従って、各種の情報を表示する。表示部２５は、例えば、液晶ディスプレイ、タッチスクリーン、ＬＥＤなどを備える。
【００３２】
操作部２６は、ユーザから、各種の操作を受け付ける。操作部２６は、例えば、ボタン、タッチスクリーンなどを備える。
【００３３】
計時部２７は、ＲＴＣなどの計時用のデバイスである。計時部２７は、例えば、電池を内蔵し、第２通信装置２１０の電源がオフの間も計時を継続する。計時部２７は、例えば、水晶発振子を備える発振回路を備える。
【００３４】
第２通信装置２２０は、ＰＬＣ機能を有する通信装置である。第２通信装置２２０は、は、電力線を介して、第１通信装置１００と第２通信装置２１０と第２通信装置２３０とのそれぞれと通信することができる。第２通信装置２２０は、電気機器３２０に流れる電流の値の時系列データにより構成される第２電流波形を取得する機能を有する。第２通信装置２２０は、電流センサ２５２を介して、電力線Ｌ１（又は、電力線Ｎ１）に流れる電流の値をサンプリングすることにより、第２電流波形を取得する。第２通信装置２２０は、取得した第２電流波形を第１通信装置１００に送信する。第２通信装置２２０は、電気機器３２０に対応して設けられた通信装置である。第２通信装置２２０の構成は、基本的に、第２通信装置２１０の構成と同様である。
【００３５】
第２通信装置２３０は、ＰＬＣ機能を有する通信装置である。第２通信装置２３０は、は、電力線を介して、第１通信装置１００と第２通信装置２１０と第２通信装置２２０とのそれぞれと通信することができる。第２通信装置２３０は、電気機器３３０に流れる電流の値の時系列データにより構成される第２電流波形を取得する機能を有する。第２通信装置２３０は、電流センサ２５３を介して、電力線Ｌ３（又は、電力線Ｎ３）に流れる電流の値をサンプリングすることにより、第２電流波形を取得する。第２通信装置２３０は、取得した第２電流波形を第１通信装置１００に送信する。第２通信装置２３０は、電気機器３３０に対応して設けられた通信装置である。第２通信装置２３０の構成は、基本的に、第２通信装置２１０の構成や第２通信装置２２０の構成と同様である。
【００３６】
次に、図４を参照して、第１通信装置１００及び第２通信装置２１０の機能について説明する。なお、第２通信装置２２０や第２通信装置２３０の機能は、基本的に、第２通信装置２１０の機能と同様であるため、適宜、説明を省略する。図４に示すように、第１通信装置１００は、機能的には、第１電流値検出部１０１と、電気機器特定部１０２と、第１波形取得部１０３と、組合せ選択部１０４と、波形判別部１０５と、情報提示部１０６と、第１電圧値検出部１０７と、第１送信部１０８と、第１検出期間特定部１０９と、第１受信部１１０と、第１タイミング検出部１１１と、を備える。
【００３７】
第１電流値検出部１０１は、少なくとも１つの分岐ブレーカのうちの特定の分岐ブレーカに流れる電流の値を検出する。特定の分岐ブレーカは、接続された電気機器を特定する対象の分岐ブレーカである。本実施形態では、特定の分岐ブレーカは、分岐ブレーカ４１０である。第１電流値検出部１０１の機能は、例えば、計測部１２と電流センサ１５０とが協働することにより実現される。
【００３８】
電気機器特定部１０２は、検出期間において第１電流値検出部１０１により検出された電流の値と、検出期間において少なくとも１つの第２電流値検出部２０１のそれぞれにより検出された電流の値と、に基づいて、少なくとも１つの電気機器のうち特定の分岐ブレーカに接続された電気機器を特定する。検出期間は、電流の値を検出する期間である。本実施形態では、検出期間は、交流電力の周期（２０ｍｓｅｃ）の２倍の時間（４０ｍｓｅｃ）の期間であるものとする。本実施形態では、電気機器特定部１０２は、電気機器３１０と電気機器３２０と電気機器３３０とのうち分岐ブレーカ４１０に接続された電気機器３１０と電気機器３２０とを特定する。電気機器特定部１０２の機能は、例えば、制御部１１の機能により実現される。
【００３９】
第１波形取得部１０３は、第１電流値検出部１０１により検出された電流の値に基づいて、第１電流波形を取得する。第１電流波形は、検出期間において特定の分岐ブレーカに流れた電流の波形である。第１波形取得部１０３の機能は、例えば、制御部１１と計測部１２とが協働することにより実現される。
【００４０】
組合せ選択部１０４は、少なくとも１つの電気機器から抽出される電気機器の組合せを選択する。本実施形態では、組合せ選択部１０４は、電気機器３１０と電気機器３２０と電気機器３３０とから抽出される電気機器の組合せを選択する。組合せ選択部１０４の機能は、例えば、制御部１１の機能により実現される。
【００４１】
波形判別部１０５は、合成電流波形が、第１波形取得部１０３により取得された第１電流波形と一致するか否かを判別する。この合成電流波形は、少なくとも１つの第２波形取得部２０２により取得された第２電流波形のうち、組合せ選択部１０４により選択された組合せに含まれる電気機器に対応する第２電流波形を合成することにより取得される電流波形である。なお、合成電流波形は、複数の第２電流波形の時間軸を調整した上で、複数の第２電流波形が合成されたものであってもよい。この場合、例えば、複数の第２電流波形の相関係数が最大となるように時間軸が調整される。
【００４２】
波形判別部１０５が２つの電流波形が一致するか否かを判別する手法は、適宜、調整することができる。例えば、波形判別部１０５は、２つの電流波形の相関係数が予め定められた閾値（例えば、０．８）以上である場合、２つの電流波形が一致すると判別する。一方、波形判別部１０５は、２つの電流波形の相関係数が予め定められた閾値未満である場合、２つの電流波形が一致しないと判別する。波形判別部１０５の機能は、例えば、制御部１１の機能により実現される。
【００４３】
ここで、電気機器特定部１０２は、組合せ選択部１０４により選択された組合せのうち、波形判別部１０５により合成電流波形が第１電流波形と一致すると判別された組合せに含まれる電気機器を、特定の分岐ブレーカに接続された電気機器として特定する。なお、波形判別部１０５により合成電流波形が第１電流波形と一致すると判別された組合せは、基本的には、特定の分岐ブレーカに接続された電気機器の組合せとして正しい組合せである。
【００４４】
情報提示部１０６は、組合せ選択部１０４により選択された複数の組合せについて、波形判別部１０５により合成電流波形が第１電流波形と一致すると判別された場合、これらの複数の組合せに含まれるいずれかの電気機器の運転状態を変更することを促す情報をユーザに提示する。組合せ選択部１０４により選択された複数の組合せについて、合成電流波形が第１電流波形と一致すると判別される場合は、これらの複数の組み合せに含まれる複数の電気機器に流れる電流の波形（第２電流波形）が同一である場合といえる。そこで、このような場合、第２電流波形が同一である電気機器が存在しなくなるように、これらの複数の電気機器のうちのいずれかの電気機器の運転状態を変更することが望ましい。そこで、このような場合、情報提示部１０６は、これらの複数の組合せに含まれる電気機器のいずれかの運転状態を変更することを促す情報をユーザに提示する。また、情報提示部１０６は、合成電流波形が第１電流波形と一致すると判別された組合せを示す情報を、ユーザに提示してもよい。情報提示部１０６の機能は、例えば、制御部１１と表示部１５とが協働することにより実現される。
【００４５】
第１電圧値検出部１０７は、特定の分岐ブレーカに接続された電力線間の電圧の値を検出する。本実施形態では、第１電圧値検出部１０７は、分岐ブレーカ４１０に接続された電力線Ｌ１と電力線Ｎ１との間の電圧の値を検出する。第１電圧値検出部１０７の機能は、例えば、計測部１２の機能により実現される。
【００４６】
第１送信部１０８は、第１電圧値検出部１０７により検出された電圧の値が予め定められた値となったタイミングで上述した少なくとも１つの第２通信装置にトリガ信号を送信する。予め定められた値は、例えば、商用電源６００から供給される交流電圧の極大値（例えば、１４１Ｖ）又は極小値（例えば、−１４１Ｖ）である。本実施形態では、第１送信部１０８は、第１電圧値検出部１０７により検出された電圧の値が交流電圧の極大値になったタイミングで、第２通信装置２１０と第２通信装置２２０と第２通信装置２３０とのそれぞれにトリガ信号を送信するものとする。第１送信部１０８の機能は、例えば、制御部１１と通信部１３とが協働することにより実現される。
【００４７】
第１検出期間特定部１０９は、第１送信部１０８によりトリガ信号が送信されたタイミングに基づいて、検出期間を特定する。第１検出期間特定部１０９の機能は、例えば、制御部１１と計時部１７とが協働することにより実現される。
【００４８】
第１受信部１１０は、上述した少なくとも１つの第２通信装置から検出期間において上述した少なくとも１つの第２電流値検出部２０１により検出された電流の値を示す情報を受信する。第１受信部１１０の機能は、例えば、通信部１３の機能により実現される。
【００４９】
第１タイミング検出部１１１は、第１送信部１０８によりトリガ信号が送信された後、第１電圧値検出部１０７により検出された電圧の値が予め定められた回数ゼロクロスしたタイミングを検出する。ゼロクロスとは、正の値からゼロを経由して負の値に切り替わること、又は、負の値からゼロを経由して正の値に切り替わることである。交流電力の周波数が５０Ｈｚの場合、１０ｍｓｅｃ毎にゼロクロスが発生する。予め定められた回数は、例えば、第１通信装置１００が第１電流波形を取得するための準備に必要な時間、第２通信装置２１０と第２通信装置２２０と第２通信装置２３０とが第２電流波形を取得するための準備に必要な時間などに応じて設定される。本実施形態では、予め定められた回数は、４回であるものとする。第１タイミング検出部１１１の機能は、例えば、制御部１１の機能により実現される。
【００５０】
ここで、第１検出期間特定部１０９は、第１タイミング検出部１１１により検出されたタイミングを、検出期間の先頭時刻として特定する。本実施形態では、トリガ信号が送信されたタイミングから交流電力の周期の１．７５倍の時間（例えば、３５ｍｓｅｃ）が経過した時刻が検出期間の先頭時刻として特定されるものとする。
【００５１】
図４に示すように、第２通信装置２１０は、機能的には、第２電流値検出部２０１と、第２波形取得部２０２と、第２受信部２０３と、第２検出期間特定部２０４と、第２送信部２０５と、第２電圧値検出部２０６と、第２タイミング検出部２０７と、を備える。
【００５２】
第２電流値検出部２０１は、少なくとも１つの電気機器のうちの対応する電気機器に流れる電流の値を検出する。第２通信装置２１０が備える第２電流値検出部２０１は、電気機器３１０に流れる電流の値を検出する。第２通信装置２２０が備える第２電流値検出部２０１は、電気機器３２０に流れる電流の値を検出する。第２通信装置２３０が備える第２電流値検出部２０１は、電気機器３３０に流れる電流の値を検出する。第２電流値検出部２０１の機能は、例えば、計測部２２と電流センサ２５１（又は、電流センサ２５２、電流センサ２５３）が協働することにより実現される。
【００５３】
第２波形取得部２０２は、少なくとも１つの第２電流値検出部２０１のうちの対応する第２電流値検出部２０１により検出された電流の値に基づいて、検出期間において少なくとも１つの電気機器のうちの対応する電気機器に流れた電流の波形である第２電流波形を取得する。第２通信装置２１０が備える第２波形取得部２０２は、第２通信装置２１０が備える第２電流値検出部２０１により検出された電流の値に基づいて、検出期間において第２通信装置２１０に流れた電流の波形である第２電流波形を取得する。第２通信装置２２０が備える第２波形取得部２０２は、第２通信装置２２０が備える第２電流値検出部２０１により検出された電流の値に基づいて、検出期間において第２通信装置２２０に流れた電流の波形である第２電流波形を取得する。第２通信装置２３０が備える第２波形取得部２０２は、第２通信装置２３０が備える第２電流値検出部２０１により検出された電流の値に基づいて、検出期間において第２通信装置２３０に流れた電流の波形である第２電流波形を取得する。第２波形取得部２０２の機能は、例えば、制御部２１と計測部２２とが協働することにより実現される。
【００５４】
第２受信部２０３は、第１通信装置１００からトリガ信号を受信する。第２受信部２０３の機能は、例えば、通信部２３の機能により実現される。
【００５５】
第２検出期間特定部２０４は、第２受信部２０３によりトリガ信号が受信されたタイミングに基づいて、検出期間を特定する。第２検出期間特定部２０４の機能は、例えば、制御部２１と計時部２７とが協働することにより実現される。
【００５６】
第２送信部２０５は、第２検出期間特定部２０４により特定された検出期間において第２電流値検出部２０１により検出された電流の値を示す情報を第１通信装置１００に送信する。第２送信部２０５の機能は、例えば、制御部２１と通信部２３とが協働することにより実現される。
【００５７】
第２電圧値検出部２０６は、少なくとも１つの第２通信装置のうちの自装置に接続された電力線間の電圧の値を検出する。第２通信装置２１０が備える第２電圧値検出部２０６は、第２通信装置２１０に接続された電力線Ｌ１と電力線Ｎ１との間の電圧の値を検出する。第２通信装置２２０が備える第２電圧値検出部２０６は、第２通信装置２２０に接続された電力線Ｌ１と電力線Ｎ１との間の電圧の値を検出する。第２通信装置２３０が備える第２電圧値検出部２０６は、第２通信装置２３０に接続された電力線Ｌ３と電力線Ｎ３との間の電圧の値を検出する。第２電圧値検出部２０６の機能は、例えば、計測部２２の機能により実現される。
【００５８】
第２タイミング検出部２０７は、第２受信部２０３によりトリガ信号が受信された後、第２電圧値検出部２０６により検出された電圧の値が予め定められた回数ゼロクロスするタイミングを検出する。
【００５９】
ここで、第２検出期間特定部２０４は、第２タイミング検出部２０７により検出されたタイミングを、検出期間の先頭時刻として特定する。
【００６０】
次に、図５Ａを参照して、電力線Ｌ１−電力線Ｎ１間に印加される電圧の波形について説明する。電力線Ｌ１−電力線Ｎ１間に印加される電圧は、商用電源６００により印加される電圧である。従って、図５Ａに示すように、電力線Ｌ１−電力線Ｎ１間に印加される電圧の波形は、正弦波となる。また、電力線Ｌ０と電力線Ｌ１と電力線Ｌ２と電力線Ｌ３とは相互に接続され、電力線Ｎ０と電力線Ｎ１と電力線Ｎ２と電力線Ｎ３とは相互に接続される。従って、電力線Ｌ０−電力線Ｎ０間に印加される電圧の波形と、電力線Ｌ１−電力線Ｎ１間に印加される電圧の波形と、電力線Ｌ２−電力線Ｎ２間に印加される電圧の波形と、電力線Ｌ３−電力線Ｎ３間に印加される電圧の波形とは、いずれも同じ波形となる。
【００６１】
また、図５Ａは、ｔ０において、電力線Ｌ１−電力線Ｎ１間に、トリガ信号が重畳されている様子を示している。また、図５Ａは、トリガ信号が重畳された後、１回目のゼロクロスがｔ１で発生し、２回目のゼロクロスがｔ２で発生し、３回目のゼロクロスがｔ３で発生し、４回目のゼロクロスがｔ４で発生した様子を示している。ｔ０からｔ１までの時間は、大凡交流電力の周期の０．２５倍の時間である。ｔ１からｔ２までの時間、ｔ２からｔ３までの時間、及び、ｔ３からｔ４までの時間は、いずれも、交流電力の周期の０．５倍の時間である。
【００６２】
次に、図５Ｂを参照して、分岐ブレーカ４１０に流れる電流の波形（第１電流波形）について説明する。分岐ブレーカ４１０に流れる電流の値は、電気機器３１０に流れる電流の値と電気機器３２０に流れる電流の値との合計値である。電気機器３１０に流れる電流の波形を電気機器３１０の第２電流波形とし、電気機器３２０に流れる電流の波形を電気機器３２０の第２電流波形と呼ぶ。この場合、第１電流波形は、電気機器３１０の第２電流波形と電気機器３２０の第２電流波形とを合成した波形（合成電流波形）となる。図５Ｂに示す例では、第１電流波形は、正の振幅の方が負の振幅よりも大きいことを示している。また、図５Ｂは、検出期間がｔ４からｔ５までの期間であることを示している。なお、ｔ４は、４回目のゼロクロスが検出された時刻である。また、ｔ５は、ｔ４から予め定められた時刻が経過した時刻である。
【００６３】
次に、図６Ａを参照して、電気機器３１０に流れる電流の波形（電気機器３１０の第２電流波形）について説明する。電気機器３１０に流れる電流の値は、電気機器３１０の機能や運転状態に応じた値となる。従って、電気機器３１０の第２電流波形は、電気機器３１０の機能や運転状態に応じた波形となる。本実施形態では、電気機器３１０の第２電流波形は、正の振幅と負の振幅とが同程度であるものとする。図６Ａも、検出期間がｔ４からｔ５までの期間であることを示している。
【００６４】
次に、図６Ｂを参照して、電気機器３２０に流れる電流の波形（電気機器３２０の第２電流波形）について説明する。電気機器３２０に流れる電流の値は、電気機器３２０の機能や運転状態に応じた値となる。従って、電気機器３２０の第２電流波形は、電気機器３２０の機能や運転状態に応じた波形となる。本実施形態では、電気機器３２０の第２電流波形は、正の振幅のみ存在し、負の振幅が存在しないものとする。図６Ｂも、検出期間がｔ４からｔ５までの期間であることを示している。
【００６５】
なお、本実施形態では、電気機器３１０の機能と電気機器３３０の機能とは同じ機能であり、電気機器３１０の運転状態と電気機器３３０の運転状態と同じ運転状態である。従って、本実施形態では、電気機器３３０に流れる電流の波形（電気機器３３０の第２電流波形）は、電気機器３１０に流れる電流の波形（電気機器３１０の第２電流波形）と同じ波形となる。
【００６６】
次に、図７Ａと図７Ｂと図８Ａと図８Ｂとを参照して、電気機器の組合せと波形判別部１０５による判別結果との対応関係について説明する。電気機器の組合せとしては、要素数が０である組合せと、要素数が１である組合せと、要素数が２である組合せと、要素数が３である組合せとが存在する。要素数が０である組合せは、いずれの電気機器も含まれない１つの組合せである。要素数が１である組合せは、電気機器３１０のみが含まれる組合せと、電気機器３２０のみが含まれる組合せと、電気機器３３０のみが含まれる組合せとの３つの組合せである。要素数が２である組合せは、電気機器３１０と電気器３２０とが含まれ電気機器３３０が含まれない組合せと、電気機器３１０と電気機器３３０とが含まれ電気機器３２０が含まれない組合せと、電気機器３２０と電気機器３３０とが含まれ電気機器３１０が含まれない組合せとの３つの組合せである。要素数が３である組合せは、全ての電気機器が含まれる１つの組合せである。このように、本実施形態では、電気機器の組合せは、８つ存在する。
【００６７】
ここで、本実施形態では、分岐ブレーカ４１０に接続されている電気機器は、電気機器３１０と電気機器３２０との２つの電気機器である。従って、波形判別部１０５による判別結果として合成電流波形と第１電流波形とが一致すると判別されるべき組合せは、電気機器３１０と電気機器３２０とが含まれ電気機器３３０が含まれない組合せである。図７Ａと図７Ｂと図８Ａと図８Ｂとにおいて、判別結果として一致すると判別されるべき組合せを太線の枠で示している。また、図７Ａと図７Ｂと図８Ａと図８Ｂとにおいて、組合せに含まれること及び合成電流波形と第１電流波形とが一致すると判別されることを○で示し、組合せに含まれないこと及び合成電流波形と第１電流波形とが一致しないと判別されることを×で示している。
【００６８】
図７Ａに、電気機器３１０と電気機器３３０とで第２電流波形が同一であるときの判別結果を示す。図７Ａに示すように、電気機器３１０と電気機器３２０とが含まれ電気機器３３０が含まれない組合せ（正しい組合せ）において判別結果が○となる他、電気機器３２０と電気機器３３０とが含まれ電気機器３１０が含まれない組合せ（誤った組合せ）においても判別結果が○となる。この理由は、電気機器３１０と電気機器３２０とで第２電流波形が同一である場合、合成電流波形と第１電流波形との比較では、電気機器３１０と電気機器３２０との区別が不可能であるためである。
【００６９】
図７Ｂに、仮に全ての電気機器における第２電流波形が同一であるときの判別結果を示す。図７Ｂに示すように、電気機器３１０と電気機器３２０とが含まれ電気機器３３０が含まれない組合せ（正しい組合せ）において判別結果が○となる他、電気機器３２０と電気機器３３０とが含まれ電気機器３１０が含まれない組合せ（誤った組合せ）においても判別結果が○となり、さらに、電気機器３１０と電気機器３３０とが含まれ電気機器３２０が含まれない組合せ（誤った組合せ）においても判別結果が○となる。この理由は、全ての電気機器における第２電流波形が同一である場合、合成電流波形と第１電流波形との比較では、電気機器３１０と電気機器３２０と電気機器３３０の区別が不可能であるためである。
【００７０】
このように、複数の組合せについて、判別結果が○となる場合、適当な電気機器の運転状態を変更し、この電気機器の第２電流波形を変化させることが望ましい。なお、取得済の判別結果に応じて、運転状態を変更する電気機器を決定することが好適である。例えば、図７Ａに示す例では、判別結果が○となる組合せは、要素数が２である組合せに限定されるため、正しい組合せの要素数は２であると推定される。また、要素数が２の組合せに限定すれば、電気機器３２０が含まれる組合せは必ず判別結果が○となり、電気機器３２０が含まれない組合せは必ず判別結果が×である。このため、電気機器３２０は、正しい組合せに含まれること、及び、他の電気機器とは第２電流波形が一致しないことが推定される。そこで、運転状態を変更する電気機器として、電気機器３２０以外の電気機器を選択することが好適である。
【００７１】
本実施形態では、図７Ａに示すように、電気機器３１０と電気機器３３０とで第２電流波形が同一であった場合に、電気機器３３０の運転状態を変更するものとする。ただし、本実施形態では、第１通信装置１００は、直接、電気機器３３０の運転状態を変更するのではなく、電気機器３３０の運転状態を変更することを促す情報をユーザに提示するものとする。一方、ユーザは、提示された情報を参照して、リモコンなどを使用して、電気機器３３０の運転状態を変更する。図８Ａに、電気機器３３０の運転状態の変更後に、全ての電気機器における第２電流波形が非同一となったときの判別結果を示す。図８Ａに示すように、全ての電気機器における第２電流波形が非同一となれば、判別結果が○となる組合せが１つに限定される。
【００７２】
しかしながら、電気機器３３０の運転状態を変更した場合であっても、電気機器３３０の運転状態が電気機器３２０の運転状態と同じ運転状態になると、電気機器３２０と電気機器３３０とで第２電流波形が同一になる可能性がある。図８Ｂに、電気機器３３０の運転状態の変更後に、電気機器３２０と電気機器３３０とで第２電流波形が同一となったときの判別結果を示す。図８Ｂに示すように、電気機器３２０と電気機器３３０とで第２電流波形が同一となると、電気機器３１０と電気機器３２０とが含まれ電気機器３３０が含まれない組合せ（正しい組合せ）において判別結果が○となる他、電気機器３１０と電気機器３３０とが含まれ電気機器３２０が含まれない組合せ（誤った組合せ）においても判別結果が○となる。
【００７３】
しかしながら、図８Ｂに示す例では、判別結果が○となる組合せは、要素数が２である組合せに限定されるため、正しい組合せの要素数は２であると推定される。また、要素数が２の組合せに限定すれば、電気機器３１０が含まれる組合せは必ず判別結果が○となり、電気機器３１０が含まれない組合せは必ず判別結果が×である。このため、電気機器３１０は、正しい組合せに含まれることが推定される。ここで、図７Ａの判別結果により、電気機器３２０が正しい組合せに含まれることは推定済である。従って、電気機器３１０と電気機器３２０とが含まれ電気機器３３０が含まれない組合せが正しい組合せであることが推定される。
【００７４】
このように、複数の組合せについて、判別結果が○となる場合、他の電気機器とは第２電流波形が一致すると推定される電気機器の運転状態を変更することを促すことが好適である。なお、図７Ａに示すような判別結果をユーザに提示することにより、運転状態を変更する電気機器をユーザに選択させてもよい。また、可能であるならば、他の運転状態と同じ運転状態にならないように、運転状態を変更することが望ましい。
【００７５】
例えば、図７Ｂに示すような判別結果となった場合でも、電気機器３１０と電気機器３２０と電気機器３３０とで運転状態が重複しないように、電気機器３１０と電気機器３２０と電気機器３３０とのうちの２つの電気機器の運転状態を変更することが好適である。なお、全ての電気機器の運転状態が重複しないように運転状態を変更することが難しい場合でも、取得済の判別結果を組合せることで、なるべく少ない運転状態の変更回数で、正しい組合せを求めることが可能である。
【００７６】
次に、図９に示すフローチャートを参照して、第１通信装置１００が実行する接続関係特定処理について説明する。なお、第１通信装置１００は、電源が投入されている間、図９に示す接続関係特定処理を繰り返し実行する。
【００７７】
まず、制御部１１は、開始指示があるか否かを判別する（ステップＳ１０１）。例えば、制御部１１は、接続関係特定処理の開始を指示する操作が操作部１６により受け付けられたか否かを判別する。制御部１１は、開始指示がないと判別すると（ステップＳ１０１：ＮＯ）、ステップＳ１０１に処理を戻す。
【００７８】
一方、制御部１１は、開始指示があると判別すると（ステップＳ１０１：ＹＥＳ）、電流値の検出を開始する（ステップＳ１０２）。例えば、制御部１１は、計測部１２を制御して、電流センサ１５０による電流値の検出を開始させる。以後、計測部１２は、サンプリング周期が経過する毎に、電流センサ１５０から電流値を取得する。計測部１２は、取得した電流値で、図示しないバッファメモリに記憶された電流情報を更新する。
【００７９】
制御部１１は、ステップＳ１０２の処理を完了すると、電圧値の検出を開始する（ステップＳ１０３）。例えば、制御部１１は、計測部１２を制御して、電圧値の検出を開始させる。以後、計測部１２は、サンプリング周期が経過する毎に、電力線Ｌ１と電力線Ｎ１との間の電圧値を取得する。計測部１２は、取得した電圧値で、図示しないバッファメモリに記憶された電圧情報を更新する。
【００８０】
制御部１１は、ステップＳ１０３の処理を完了すると、電圧値がピーク値であるか否かを判別する（ステップＳ１０４）。例えば、制御部１１は、計測部１２が記憶する電圧情報を参照して、現在時刻における電圧値がピーク値（例えば、１４１Ｖ）であるか否かを判別する。制御部１１は、電圧値がピーク値でないと判別すると（ステップＳ１０４：ＮＯ）、ステップＳ１０４に処理を戻す。
【００８１】
一方、制御部１１は、電圧値がピーク値であると判別すると（ステップＳ１０４：ＹＥＳ）、トリガ信号を送信する（ステップＳ１０５）。例えば、制御部１１は、通信部１３を介して、電気機器３１０と電気機器３２０と電気機器３３０とのそれぞれに、トリガ信号を送信する。
【００８２】
制御部１１は、ステップＳ１０５の処理を完了すると、ゼロクロスが検出されたか否かを判別する（ステップＳ１０６）。例えば、制御部１１は、計測部１２が記憶する電圧情報を参照して、電圧値の正負が切り替わったか否かを判別する。制御部１１は、ゼロクロスが検出されないと判別すると（ステップＳ１０６：ＮＯ）、ステップＳ１０６に処理を戻す。
【００８３】
一方、制御部１１は、ゼロクロスが検出されたと判別すると（ステップＳ１０６：ＹＥＳ）、カウント値をインクリメントする（ステップＳ１０７）。例えば、制御部１１は、ゼロクロスが検出された回数を示すカウント値を１つ増加させる。カウント値は、例えば、制御部１１を構成するＲＡＭなどに記憶される。また、このカウント値は、ステップＳ１０５においてトリガ信号が送信された後、０にクリアされる。
【００８４】
制御部１１は、ステップＳ１０７の処理を完了すると、カウント値が閾値以上であるか否かを判別する（ステップＳ１０８）。例えば、制御部１１は、ＲＡＭなどに記憶されたカウント値が４以上であるか否かを判別する。制御部１１は、カウント値が閾値以上でないと判別すると（ステップＳ１０８：ＮＯ）、ステップＳ１０６に処理を戻す。
【００８５】
一方、制御部１１は、カウント値が閾値以上であると判別すると（ステップＳ１０８：ＹＥＳ）、第１電流波形の取得を開始する（ステップＳ１０９）。例えば、制御部１１は、計測部１２に、第１電流波形を構成する電流値の記憶の開始を指示する。また、制御部１１は、第１電流波形の取得を開始した時刻を、計時部１７から取得し、ＲＡＭに記憶する。
【００８６】
制御部１１は、ステップＳ１０９の処理を完了すると、検出期間が終了したか否かを判別する（ステップＳ１１０）。例えば、制御部１１は、計時部１７から取得された時刻と第１電流波形の取得を開始した時刻との時間差が、検出期間の長さを超えているか否かを判別する。制御部１１は、検出期間が終了していないと判別すると（ステップＳ１１０：ＮＯ）、ステップＳ１１０に処理を戻す。
【００８７】
一方、制御部１１は、検出期間が終了したと判別すると（ステップＳ１１０：ＹＥＳ）、第１電流波形の取得を終了する（ステップＳ１１１）。例えば、制御部１１は、計測部１２に、第１電流波形を構成する電流値の記憶の終了を指示し、計測部１２から第１電流波形を取得し、取得した第１電流波形をＲＡＭに記憶する。
【００８８】
制御部１１は、ステップＳ１１１の処理を完了すると、第２電流波形を受信する（ステップＳ１１２）。例えば、制御部１１は、通信部１３を介して、第２通信装置２１０と第２通信装置２２０と第２通信装置２３０とのそれぞれから第２電流波形を受信し、ＲＡＭに記憶する。
【００８９】
制御部１１は、ステップＳ１１２の処理を完了すると、電気機器の組合せを選択する（ステップＳ１１３）。例えば、制御部１１は、電気機器の組合せとして算出される全ての組合せの中から、順に１つの組合せを選択する。
【００９０】
制御部１１は、ステップＳ１１３の処理を完了すると、第２電流波形を合成する（ステップＳ１１４）。例えば、制御部１１は、選択された組合せに含まれる電気機器の第２電流波形の全てを合成し、合成電流波形を生成し、ＲＡＭに記憶する。
【００９１】
制御部１１は、ステップＳ１１４の処理を完了すると、合成電流波形と第１電流波形とが一致するか否かを判別する（ステップＳ１１５）。例えば、制御部１１は、合成電流波形と第１電流波形との相関係数が予め定められた閾値以上であるか否かを判別する。
【００９２】
制御部１１は、ステップＳ１１５の処理を完了すると、合成電流波形と第１電流波形とが一致するか否かの判別結果を保存する（ステップＳ１１６）。制御部１１は、例えば、ＲＡＭに、この判別結果を保存する。
【００９３】
制御部１１は、ステップＳ１１６の処理を完了すると、全ての組合せを選択済であるか否かを判別する（ステップＳ１１７）。制御部１１は、全ての組合せを選択済でないと判別すると（ステップＳ１１７：ＮＯ）、ステップＳ１１３に処理を戻し、未選択の組合せを選択する。一方、制御部１１は、全ての組合せを選択済であると判別すると（ステップＳ１１７：ＹＥＳ）、判別結果が「一致」である組合せが複数存在するか否かを判別する（ステップＳ１１８）。
【００９４】
制御部１１は、判別結果が「一致」である組合せが複数存在しないと判別すると（ステップＳ１１８：ＮＯ）、正しい組合せを示す画面を提示する（ステップＳ１１９）。制御部１１は、例えば、表示部１５を制御して、正しい組合せを示す画面を提示する。正しい組合せを示す画面は、例えば、分岐ブレーカ４１０に接続された電気機器が、電気機器３１０と電気機器３２０とであることを示す画面である。制御部１１は、ステップＳ１１９の処理を完了すると、接続関係特定処理を完了する。
【００９５】
一方、制御部１１は、判別結果が「一致」である組合せが複数存在すると判別すると（ステップＳ１１８：ＹＥＳ）、運転状態の変更を促す画面を提示する（ステップＳ１２０）。制御部１１は、例えば、表示部１５を制御して、運転状態の変更を促す画面を提示する。運転状態の変更を促す画面は、例えば、正しい組合せの候補が複数存在することを明示する画面、正しい組合せの候補を明示する画面、正しい組合せを特定するために運転状態を変更することが望ましい電気機器を明示する画面などである。一方、ユーザは、提示された画面により明示された電気機器、もしくは、提示された画面から推定される適切な電気機器の運転状態を、リモコンなどで変更する。制御部１１は、ステップＳ１２０の処理を完了すると、ステップＳ１０４に処理を戻す。なお、制御部１１は、ステップＳ１２０の処理を完了した後、予め定められた時間が経過してから、ステップＳ１０４の処理を実行してもよい。
【００９６】
次に、図１０に示すフローチャートを参照して、第２通信装置２１０が実行する第２電流波形取得処理について説明する。なお、第２通信装置２１０は、電源が投入されている間、図１０に示す第２電流波形取得処理を繰り返し実行する。また、第２通信装置２２０と第２通信装置２３０とのそれぞれも、図１０に示す第２電流波形取得処理と同様の処理を実行する。
【００９７】
まず、制御部２１は、トリガ信号を受信したか否かを判別する（ステップＳ２０１）。例えば、制御部２１は、第１通信装置１００により送信されたトリガ信号が、通信部２３により受信されたか否かを判別する。制御部２１は、トリガ信号を受信していないと判別すると（ステップＳ２０１：ＮＯ）、ステップＳ２０１に処理を戻す。
【００９８】
一方、制御部２１は、トリガ信号を受信したと判別すると（ステップＳ２０１：ＹＥＳ）、電流値の検出を開始する（ステップＳ２０２）。例えば、制御部２１は、計測部２２を制御して、電流センサ２５１による電流値の検出を開始させる。以後、計測部２２は、サンプリング周期が経過する毎に、電流センサ２５１から電流値を取得する。計測部２２は、取得した電流値で、図示しないバッファメモリに記憶された電流情報を更新する。
【００９９】
制御部２１は、ステップＳ２０２の処理を完了すると、電圧値の検出を開始する（ステップＳ２０３）。例えば、制御部２１は、計測部２２を制御して、電圧値の検出を開始させる。以後、計測部２２は、サンプリング周期が経過する毎に、電力線Ｌ１と電力線Ｎ１との間の電圧値を取得する。計測部２２は、取得した電圧値で、図示しないバッファメモリに記憶された電圧情報を更新する。
【０１００】
制御部２１は、ステップＳ２０３の処理を完了すると、ゼロクロスが検出されたか否かを判別する（ステップＳ２０４）。例えば、制御部２１は、計測部２２が記憶する電圧情報を参照して、電圧値の正負が切り替わったか否かを判別する。制御部２１は、ゼロクロスが検出されないと判別すると（ステップＳ２０４：ＮＯ）、ステップＳ２０４に処理を戻す。
【０１０１】
一方、制御部２１は、ゼロクロスが検出されたと判別すると（ステップＳ２０４：ＹＥＳ）、カウント値をインクリメントする（ステップＳ２０５）。例えば、制御部２１は、ゼロクロスが検出された回数を示すカウント値を１つ増加させる。カウント値は、例えば、制御部２１を構成するＲＡＭなどに記憶される。また、このカウント値は、ステップＳ２０１においてトリガ信号が受信されたと判別された後、０にクリアされる。
【０１０２】
制御部２１は、ステップＳ２０５の処理を完了すると、カウント値が閾値以上であるか否かを判別する（ステップＳ２０６）。例えば、制御部２１は、ＲＡＭなどに記憶されたカウント値が４以上であるか否かを判別する。制御部２１は、カウント値が閾値以上でないと判別すると（ステップＳ２０６：ＮＯ）、ステップＳ２０４に処理を戻す。
【０１０３】
一方、制御部２１は、カウント値が閾値以上であると判別すると（ステップＳ２０６：ＹＥＳ）、第２電流波形の取得を開始する（ステップＳ２０７）。例えば、制御部２１は、計測部２２に、第２電流波形を構成する電流値の記憶の開始を指示する。また、制御部２１は、第２電流波形の取得を開始した時刻を、計時部２７から取得し、ＲＡＭに記憶する。
【０１０４】
制御部２１は、ステップＳ２０７の処理を完了すると、検出期間が終了したか否かを判別する（ステップＳ２０８）。例えば、制御部２１は、計時部２７から取得された時刻と第２電流波形の取得を開始した時刻との時間差が、検出期間の長さを超えているか否かを判別する。制御部２１は、検出期間が終了していないと判別すると（ステップＳ２０８：ＮＯ）、ステップＳ２０８に処理を戻す。
【０１０５】
一方、制御部２１は、検出期間が終了したと判別すると（ステップＳ２０８：ＹＥＳ）、取得された第２電流波形を送信する（ステップＳ２０９）。例えば、制御部２１は、通信部２３を制御して、ＲＡＭに記憶された第２電流波形を第１通信装置１００に送信する。制御部２１は、ステップＳ２０９の処理を完了すると、第２電流波形取得処理を完了する。
【０１０６】
以上説明したように、本実施形態では、検出期間において特定の分岐ブレーカに流れた電流の値と、検出期間において少なくとも１つの電気機器のそれぞれに供給された電流の値と、に基づいて、少なくとも１つの電気機器のうち特定の分岐ブレーカに接続された電気機器が特定される。ここで、電気機器に流れる電流は、商用電源６００から供給される負荷電流であるため、分岐された他の電力線などに漏洩しにくい。従って、本実施形態によれば、分岐ブレーカと電気機器との接続関係を高い精度で特定することができる。
【０１０７】
また、本実施形態では、検出期間において電気機器に流れる電流の波形である第２電流波形を合成することにより得られる合成電流波形が検出期間において特定の分岐ブレーカに流れた電流の波形である第１電流波形と一致する電気機器の組合せが、特定の分岐ブレーカに接続されている電気機器の組合せとして特定される。従って、本実施形態によれば、分岐ブレーカと電気機器との接続関係を更に高い精度で特定することができる。
【０１０８】
また、本実施形態では、特定の分岐ブレーカに接続されている電気機器の組合せの候補が複数推定される場合、推定された複数の組合せに含まれる電気機器の運転状態を変更することを促す情報がユーザに提示される。従って、本実施形態によれば、分岐ブレーカと電気機器との接続関係を確実に特定することが期待できる。
【０１０９】
また、本実施形態では、特定の分岐ブレーカに流れる電流の値が第１通信装置により検出され、電気機器に流れる電流の値が第２通信装置により検出され、検出された電流の値が第１通信装置と第２通信装置との間で授受される。従って、本実施形態によれば、分岐ブレーカと電気機器との接続関係を特定する際の利便性が高まる。
【０１１０】
また、本実施形態では、交流電圧が極大値又は極小値となったタイミング以後、交流電圧が予め定められた回数ゼロクロスしたタイミングで、第１通信装置による第１電流波形の取得と第２通信装置による第２電流波形の取得とが開始される。このため、本実施形態では、第１通信装置と第２通信装置とが適切に同期する。従って、本実施形態によれば、分岐ブレーカと電気機器との接続関係を更に高い精度で特定することができる。
【０１１１】
（実施形態２）
実施形態１では、複数の組合せについて、合成電流波形と第１電流波形とが一致すると判別された場合、電気機器の運転状態を変更することを促す情報がユーザに提示される例について説明した。本発明において、複数の組合せについて、合成電流波形と第１電流波形とが一致すると判別された場合、第１通信装置１００が電気機器の運転状態を変更してもよい。
【０１１２】
図１１は、本発明の実施形態２に係る第１通信装置１２０及び第２通信装置２１０の機能を説明するための図である。なお、実施形態２に係る第２通信装置２１０は、基本的に、実施形態１に係る第２通信装置２１０と同様の機能を有する。一方、実施形態２に係る第１通信装置１２０は、実施形態１に係る第１通信装置１００が有する機能に加え、制御信号を送信する機能を有する。つまり、第１通信装置１２０は、機能的には、第１通信装置１００が有する機能ブロックに加え、更に、制御信号送信部１１２を備える。以下、実施形態１と異なる部分について、説明する。
【０１１３】
制御信号送信部１１２は、組合せ選択部１０４により選択された複数の組合せについて、波形判別部１０５により合成電流波形が第１電流波形と一致すると判別された場合、複数の組合せに含まれるいずれかの電気機器に、運転状態の変更を指示する制御信号を送信する。制御信号送信部１１２の機能は、例えば、制御部１１と第２通信部１８とが協働することにより実現される。
【０１１４】
制御信号送信部１１２は、取得済の判別結果に応じて、運転状態を変更する電気機器を決定する。例えば、図７Ａに示す例では、電気機器３２０は、正しい組合せに含まれること、及び、他の電気機器とは第２電流波形が一致しないことが推定される。そこで、制御信号送信部１１２は、運転状態を変更する電気機器として、電気機器３２０以外の電気機器を選択する。また、制御信号送信部１１２は、全ての電気機器の第２電流波形が異なるように、電気機器の運転状態を変更することが好適である。
【０１１５】
そして、制御信号送信部１１２により電気機器３１０と電気機器３２０と電気機器３３０とのうちのいずれかの電気機器の運転状態が変更されると、波形判別部１０５による判別結果が変更されることになる。そこで、電気機器特定部１０２は、新たに取得された判別結果、又は、新たに取得された判別結果及び取得済の判別結果に基づいて、正しい組合せを特定する。そして、情報提示部１０６は、特定された正しい組合せを示す情報をユーザに提示する。なお、本実施形態では、第１通信装置１２０が自動で電気機器の運転状態を変更するため、情報提示部１０６は、電気機器の運転状態を変更することを促す情報をユーザに提示する必要がない。
【０１１６】
本実施形態では、特定の分岐ブレーカに接続されている電気機器の組合せの候補が複数推定される場合、第１通信装置１２０が、推定された複数の組合せに含まれる電気機器のいずれかの運転状態を変更する。従って、本実施形態によれば、ユーザに手間をかけることなく、分岐ブレーカと電気機器との接続関係を確実に特定することが期待できる。
【０１１７】
（実施形態３）
実施形態１では、電流波形の比較により、特定の分岐ブレーカに接続された電気機器の組合せを特定する例について説明した。本発明において、電気機器の組合せを特定する手法は、この例に限定されない。以下、電力量の比較により、特定の分岐ブレーカに接続された電気機器の組合せを特定する例について説明する。なお、実施形態１と同様の構成や動作については、説明を省略又は簡略化する。
【０１１８】
図１２を参照して、第１通信装置１３０及び第２通信装置２１１の機能について説明する。なお、第２通信装置２２０や第２通信装置２３０に対応する第２通信装置の機能は、基本的に、第２通信装置２１１の機能と同様であるため、適宜、説明を省略する。図１２に示すように、第１通信装置１３０は、機能的には、第１電流値検出部１０１と、電気機器特定部１０２と、組合せ選択部１０４と、情報提示部１０６と、第１電圧値検出部１０７と、第１送信部１０８と、第１検出期間特定部１０９と、第１受信部１１０と、第１タイミング検出部１１１と、第１電力量取得部１１３と、電力量判別部１１４と、を備える。
【０１１９】
第１電力量取得部１１３は、第１電流値検出部１０１により検出された電流の値に基づいて、第１電力量を取得する。第１電力量は、検出期間において特定の分岐ブレーカを介して消費された電力量である。第１電力量取得部１１３の機能は、例えば、制御部１１と計測部１２とが協働することにより実現される。
【０１２０】
第１受信部１１０は、全ての第２通信装置から第２電力量を受信する。第２電力量は、検出期間において送信元の第２通信装置に対応する電気機器により消費された電力量である。第１受信部１１０の機能は、例えば、通信部１３の機能により実現される。
【０１２１】
電力量判別部１１４は、合計電力量が、第１電力量取得部１１３により取得された第１電力量と一致するか否かを判別する。この合成電流量は、第１受信部１１０により受信された第２電力量のうち、組合せ選択部１０４により選択された組合せに含まれる電気機器に対応する第２電力量の合成値である。電力量判別部１１４が合計電力量と第１電力量と一致するか否かを判別する手法は、適宜、調整することができる。例えば、電力量判別部１１４は、合計電力量と第１電力量との差が、予め定められた閾値以下である場合、合計電力量と第１電力量と一致すると判別する。一方、電力量判別部１１４は、合計電力量と第１電力量との差が、予め定められた閾値を超える場合、合計電力量と第１電力量と一致しないと判別する。電力量判別部１１４の機能は、例えば、制御部１１の機能により実現される。
【０１２２】
ここで、電気機器特定部１０２は、組合せ選択部１０４により選択された組合せのうち、電力量判別部１１４により合計電力量が第１電力量と一致すると判別された組合せに含まれる電気機器を、特定の分岐ブレーカに接続された電気機器として特定する。なお、電力量判別部１１４により合計電力量が第１電力量と一致すると判別された組合せは、基本的には、特定の分岐ブレーカに接続された電気機器の組み合せとして正しい組合せである。
【０１２３】
情報提示部１０６は、組合せ選択部１０４により選択された複数の組合せについて、電力量判別部１１４により合計電力量が第１電力量と一致すると判別された場合、これらの複数の組合せに含まれる電気機器の運転状態を変更することを促す情報をユーザに提示する。組合せ選択部１０４により選択された複数の組合せについて、合計電力量が第１電力量と一致すると判別される場合は、これらの複数の組み合せに含まれる複数の電気機器により消費された第２電力量が一致する場合といえる。そこで、このような場合、第２電力量が同一である電気機器が存在しなくなるように、これらの複数の電気機器のうちのいずれかの電気機器の運転状態を変更することが望ましい。そこで、このような場合、情報提示部１０６は、これらの複数の組合せに含まれる電気機器のいずれかの運転状態を変更することを促す情報をユーザに提示する。また、情報提示部１０６は、合計電力量が第１電力量と一致すると判別された組合せを示す情報を、ユーザに提示してもよい。情報提示部１０６の機能は、例えば、制御部１１と表示部１５とが協働することにより実現される。
【０１２４】
図１２に示すように、第２通信装置２１１は、機能的には、第２電流値検出部２０１と、第２受信部２０３と、第２検出期間特定部２０４と、第２送信部２０５と、第２電圧値検出部２０６と、第２タイミング検出部２０７と、第２電力量取得部２０８と、を備える。
【０１２５】
第２電力量取得部２０８は、第２電流値検出部２０１により検出された電流の値に基づいて、検出期間において電気機器３１０により消費された電力量である第２電流電力量を取得する。第２電力量取得部２０８の機能は、例えば、制御部２１と計測部２２とが協働することにより実現される。
【０１２６】
第２送信部２０５は、第２電力量取得部２０８により取得された第２電流電力量を第１通信装置１００に送信する。第２送信部２０５の機能は、例えば、制御部２１と通信部２３とが協働することにより実現される。
【０１２７】
以上説明したように、本実施形態では、検出期間において電気機器により消費される第２電力量の合計値である合計電力量が、検出期間において特定の分岐ブレーカを介して消費された電力量である第１電力量と一致する電気機器の組合せが、特定の分岐ブレーカに接続されている電気機器の組合せとして特定される。従って、本実施形態によれば、分岐ブレーカと電気機器との接続関係を高い精度で特定することができる。
【０１２８】
（変形例）
以上、本発明の実施形態を説明したが、本発明を実施するにあたっては、種々の形態による変形及び応用が可能である。
【０１２９】
本発明において、上記実施形態において説明した構成、機能、動作のどの部分を採用するのかは任意である。また、本発明において、上述した構成、機能、動作のほか、更なる構成、機能、動作が採用されてもよい。
【０１３０】
例えば、実施形態１では、第１通信装置１００がマスタ装置であり、第２通信装置２１０と第２通信装置２２０と第２通信装置２３０とがスレーブ装置である例について説明した。本発明において、第２通信装置２１０と第２通信装置２２０と第２通信装置２３０とのうちのいずれかがマスタ装置であり、他の全ての通信装置がスレーブ装置であってもよい。なお、マスタ装置は、例えば、電流波形をスレーブ装置から受信し、判別処理や判別結果の表示処理を実行する装置である。一方、スレーブ装置は、例えば電流波形をマスタ装置に送信し、判別処理や判別結果の表示処理を実行しない装置である。
【０１３１】
実施形態１では、複数の組合せについて、合成電流波形と第１電流波形とが一致すると判別された場合、電気機器の運転状態を変更することを促す情報がユーザに提示される例について説明した。本発明において、複数の組合せについて、合成電流波形と第１電流波形とが一致すると判別された場合、１つの組合せについて、合成電流波形と第１電流波形とが一致すると判別されるまで、各種の処理が繰り返し実行されてもよい。かかる構成は、例えば、電気機器２１０、電気機器２２０、電気機器２３０の運転モードが、時間の経過とともに、自動的に変更される場合に特に有効である。
【０１３２】
実施形態１では、電気機器の組合せとして想定される全ての組合せについて、合成電流波形と第１電流波形とが一致するか否かが判別される例について説明した。本発明において、例えば、全ての電気機器の第２電流波形が異なることが明確である場合、合成電流波形と第１電流波形とが一致する組合せが特定され次第、残りの組合せについては判別処理が省略されてもよい。
【０１３３】
本発明に係る第１通信装置１００、第１通信装置１２０、第１通信装置１３０、第２通信装置２１０、第２通信装置２１１、第２通信装置２２０、第２通信装置２３０の動作を規定する動作プログラムを既存のパーソナルコンピュータや情報端末装置に適用することで、当該パーソナルコンピュータ等を本発明に係る第１通信装置１００、第１通信装置１２０、第１通信装置１３０、第２通信装置２１０、第２通信装置２１１、第２通信装置２２０、第２通信装置２３０として機能させることも可能である。
【０１３４】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【０１３５】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１３６】
本発明は、分岐ブレーカと電気機器との接続関係を特定する接続関係特定システムに適用可能である。
【符号の説明】
【０１３７】
Ｌ０、Ｌ１、Ｌ２、Ｌ３、Ｎ０、Ｎ１、Ｎ２、Ｎ３  電力線、１１、２１  制御部、１２、２２  計測部、１３、２３  通信部、１４、２４  電源部、１５、２５  表示部、１６、２６  操作部、１７、２７  計時部、１８  第２通信部、１００、１２０、１３０  第１通信装置、１０１  第１電流値検出部、１０２  電気機器特定部、１０３  第１波形取得部、１０４  組合せ選択部、１０５  波形判別部、１０６  情報提示部、１０７  第１電圧値検出部、１０８  第１送信部、１０９  第１検出期間特定部、１１０  第１受信部、１１１  第１タイミング検出部、１１２  制御信号送信部、１１３  第１電力量取得部、１１４  電力量判別部、１５０、２５１、２５２、２５３  電流センサ、２１０、２１１、２２０、２３０  第２通信装置、２０１  第２電流値検出部、２０２  第２波形取得部、２０３  第２受信部、２０４  第２検出期間特定部、２０５  第２送信部、２０６  第２電圧値検出部、２０７  第２タイミング検出部、２０８  第２電力量取得部、３１０、３２０、３３０  電気機器、４００  主幹ブレーカ、４１０、４２０、４３０  分岐ブレーカ、５００  分電盤、６００  商用電源、１０００  接続関係特定システム
【図１】
0006045621.tif 000002
【図２】
0006045621.tif 000003
【図３】
0006045621.tif 000004
【図４】
0006045621.tif 000005
【図５Ａ】
0006045621.tif 000006
【図５Ｂ】
0006045621.tif 000007
【図６Ａ】
0006045621.tif 000008
【図６Ｂ】
0006045621.tif 000009
【図７Ａ】
0006045621.tif 000010
【図７Ｂ】
0006045621.tif 000011
【図８Ａ】
0006045621.tif 000012
【図８Ｂ】
0006045621.tif 000013
【図９】
0006045621.tif 000014
【図１０】
0006045621.tif 000015
【図１１】
0006045621.tif 000016
【図１２】
0006045621.tif 000017